(57)【要約】【課題】ＩＣチップに圧縮力および熱が伝達されることを抑制して、長寿命化を実現できるＩＣタグを提供する。【解決手段】平板状の基材２の一方の平面にＩＣチップ３を設置したＩＣタグ１において、ＩＣチップ３の厚みより大きい厚みを有する保護部材５の内部に、ＩＣチップ３を収容する収容部６を形成して、収容部６にＩＣチップ３を収容する状態で基材２に保護部材５を接着する。【選択図】図３
0003204483.tif 000002
【実用新案登録請求の範囲】
【請求項１】
平板状の基材と、この基材の一方の平面に配置されたＩＣチップとからなるＩＣタグにおいて、
前記基材が、前記ＩＣチップを配置された前記平面に保護部材を有し、
前記保護部材が、前記ＩＣチップを収容する収容部を備え、かつ前記ＩＣチップの厚みより大きい厚みを有することを特徴とするＩＣタグ。
【請求項２】
前記収容部が、前記ＩＣチップの外面と前記収容部の内面とが接触しない大きさである請求項１に記載のＩＣタグ。
【請求項３】
前記保護部材が前記基材と接触する下面とこの下面に対向する上面とを有していて、前記収容部が前記保護部材の前記下面から前記上面に貫通する貫通孔で構成されている請求項１または２に記載のＩＣタグ。
【請求項４】
前記保護部材が前記基材と接触する下面とこの下面に対向する上面とを有していて、前記保護部材の前記上面が平面状に構成されている請求項１〜３のいずれかに記載のＩＣタグ。
【請求項５】
前記保護部材が、弾性材料で構成されている請求項１〜４のいずれかに記載のＩＣタグ。
【考案の詳細な説明】
【技術分野】
【０００１】
本考案は、リネン製品などに設置されて繰り返し使用されるＩＣタグに関するものであり、詳しくはＩＣチップに圧縮力および熱が伝達されることを抑制して、長寿命化を実現したＩＣタグに関するものである。
【背景技術】
【０００２】
リネン製品などに設置されて繰り返し使用されるＩＣタグが種々提案されている（例えば特許文献１参照）。
【０００３】
文献１は、基材の上面に配置されたＩＣチップと、このＩＣチップおよび基材の上面側にインサート成形により配置される被覆部とを備えるＩＣタグを提案する。この被覆部は、インサート成形によりＩＣチップの周囲に密着した状態で一体的に配置されている。ＩＣチップの上方に位置する被覆部の上面は、上方に突出する形状となっている。
【０００４】
ＩＣタグを設置されたリネン製品などは、洗濯の後、高温になるアイロンやプレス機などのプレスによって乾燥およびしわ取りが行われる。ＩＣタグがプレス機により上下方向に押圧されると、被覆部を介してＩＣチップも押圧される。ＩＣチップにはプレスの度に圧縮力が発生するので、ＩＣチップが故障してしまうという不具合がある。
【０００５】
文献１に記載のＩＣタグの被覆部は、ＩＣチップに対応する部分が上方に突出している。プレスの際の圧縮力がＩＣチップに集中するので、ＩＣチップが故障し易かった。
【０００６】
またＩＣタグは高温でプレスされるため、プレス機の熱が被覆部を介してＩＣチップに伝達される。この熱によりＩＣチップが劣化する不具合がある。リネン製品の寿命に比べるとＩＣタグの寿命が短く、故障の度にＩＣタグを交換しなければならない不具合があった。
【先行技術文献】
【特許文献】
【０００７】
【特許文献１】特開２０１５−１２５５６６号公報
【考案の概要】
【考案が解決しようとする課題】
【０００８】
本考案は上記の問題を鑑みてなされたものであり、その目的はＩＣチップに圧縮力および熱が伝達されることを抑制して、長寿命化を実現できるＩＣタグを提供することにある。
【課題を解決するための手段】
【０００９】
上記の目的を達成する本考案のＩＣタグは、平板状の基材と、この基材の一方の平面に配置されたＩＣチップとからなるＩＣタグにおいて、前記基材が、前記ＩＣチップを配置された前記平面に保護部材を有し、前記保護部材が、前記ＩＣチップを収容する収容部を備え、かつ前記ＩＣチップの厚みより大きい厚みを有することを特徴とする。
【考案の効果】
【００１０】
本考案によれば、プレス機によりＩＣタグが押圧された場合に、ＩＣチップの厚み方向に発生する圧縮力を保護部材で支持できる。このためＩＣチップには圧縮力が発生し難いので、ＩＣチップの故障を回避して、ＩＣタグの長寿命化を実現するには有利である。
【００１１】
収容部を、ＩＣチップの外面と収容部の内面とが接触しない大きさに形成することができる。この構成によれば加熱されたプレス機によりＩＣタグが押圧された場合に、ＩＣチップの厚み方向に発生する圧縮力および熱が、保護部材を介してＩＣチップに伝達され難くなる。ＩＣタグの長寿命化を実現するにはさらに有利である。
【００１２】
保護部材が基材と接触する下面とこの下面に対向する上面とを有していて、収容部を保護部材の下面から上面に貫通する貫通孔で構成することができる。
【００１３】
保護部材が基材と接触する下面とこの下面に対向する上面とを有していて、保護部材の上面を平面状に構成することができる。保護部材の上面が突出した部分のない平面状なので、ＩＣチップの厚み方向に発生する圧縮力を保護部材の上面全体で支持できる。そのためＩＣタグの特定の部分に集中的に力が発生することを抑制するには有利である。
【００１４】
保護部材は弾性材料で構成することができる。リネン製品等の変形にＩＣタグの変形を追従させ易くなる。
【図面の簡単な説明】
【００１５】
【図１】本考案のＩＣタグの上面を例示する説明図である。
【図２】図１のＩＣタグの側面を例示する説明図である。
【図３】図１のＩＣタグをＡ−Ａ断面視で例示する説明図である。
【図４】図１のＩＣタグを分解した状態で例示する説明図である。
【図５】図３のＩＣタグを分解した状態で例示する説明図である。
【図６】図３のＩＣタグをプレス機で圧縮した状態を例示する説明図である。
【図７】図３のＩＣタグの変形例を例示する説明図である。
【図８】図５のＩＣタグの変形例を例示する説明図である。
【考案を実施するための形態】
【００１６】
以下、本考案のＩＣタグを図に示した実施形態に基づいて説明する。尚、図中ではＩＣタグの長手方向を矢印ｘ、幅方向を矢印ｙ、上下方向を矢印ｚで示している。
【００１７】
図１〜図３に例示するように本考案のＩＣタグ１は、例えばポリエチレンテレフタラート（ＰＥＴ）などのプラスチックで形成されている平板状の基材２と、この基材２の一方の平面に配置されているＩＣチップ３とを備えている。ＩＣタグ１は、例えば長手方向ｘの長さが２０〜６０ｍｍ程度、幅方向ｙの長さが１０〜３０ｍｍ程度、上下方向ｚの厚さが０．５〜３．０ｍｍ程度の大きさである。
【００１８】
平板状の基材２は上面２ａと下面２ｂとの二つの平面を備えている。この実施形態では基材２の上面２ａにＩＣチップ３が配置されている。ＩＣチップ３は、基材２の例えば上面２ａに印刷されているアンテナ４と電気的に接続されている。図１では説明のためアンテナ４の一部を破線で示している。
【００１９】
この平板状の基材２は、容易に変形可能な程度に薄く形成することが望ましい。上下方向ｚにおける基材２の厚みはたとえば０．１〜１．０ｍｍ程度にすることができる。基材２は上記の構成に限らず、例えば複数の平板状の材料を複数積層させて構成することができる。この場合はアンテナ４を積層した平板状の材料の中間層に配置してもよい。
【００２０】
基材２の上面２ａには、保護部材５が例えば接着剤などにより固定されている。保護部材５は、例えばエラストマー樹脂など外力により変形するとともに復元力を発生させる弾性材料で構成することができる。保護部材５を弾性材料で構成することにより、ＩＣタグ
１はリネン製品や衣類などの変形に追従して変形し易くなる。そのためＩＣタグ１の存在を意識させることなく、衣類などを使用者に使用させるには有利である。つまりＩＣタグ１の設置により衣類の着心地やリネン製品の使い心地が悪化することを回避できる。
【００２１】
保護部材５には、ＩＣチップ３を収容する収容部６が形成されている。図３に例示するように保護部材５の厚みｄ１は、ＩＣチップ３の厚みｄ２よりも大きくなる状態に構成されている。本明細書において厚みｄ１、ｄ２とは、上下方向ｚにおける保護部材５、ＩＣチップ３の長さをいう。
【００２２】
この実施形態では収容部６は、保護部材５の上面５ａから下面５ｂに貫通する円柱形状の貫通孔で構成されている。この収容部６は、ＩＣチップ３と接触しない程度の大きさに形成されている。即ち収容部６の内面とＩＣチップ３の外面とが接触しない状態に収容部６は形成されていて、ＩＣチップ３と収容部６との間にはすき間７が形成されている。ここでＩＣチップ３の外面とは、基材２と接触した面以外の外側表面をいう。
【００２３】
次にＩＣタグ１の製造方法について説明する。図４および図５に例示するようにまず既存の方法で基材２にＩＣチップ３およびアンテナ４を設置する。保護部材５には、その内部で基材２に配置した際にＩＣチップ３と対応する位置に予め収容部６を形成しておく。
【００２４】
基材２の上面２ａまたは保護部材５の下面５ｂの少なくとも一方に接着剤を塗布した後に、基材２と保護部材５とを貼り合せて一体化させる。貼り合せる際の位置合せが容易となるので、平面視（ｘｙ平面）における基材２と保護部材５の形状および大きさは同一とすることが望ましい。
【００２５】
図６に例示するようにＩＣタグ１が例えばプレス機８のプレスにより上下方向ｚに圧縮された場合、ＩＣチップ３よりも保護部材５の方が厚いので、ＩＣチップ３には圧縮力が伝達されない。プレスの際にＩＣチップ３に圧縮力が発生しないので、ＩＣチップ３が故障することを回避し易くなる。そのためＩＣタグ１の長寿命化を実現するには有利となる。ＩＣタグ１の長寿命化により、ＩＣタグ１が設置されるリネン製品や制服等の衣類の使用期間中、ＩＣタグ１を安定的に動作させ易くなる。
【００２６】
保護部材５が弾性材料で構成されている場合、プレス機８に押圧される保護部材５および収容部６は変形する。図６に例示するように収容部６の内側の側面が、収容部６の中心のＩＣチップ３に向かって突出する。しかしＩＣチップ３と収容部６との間にすき間７が形成されているので、ＩＣタグ１を圧縮する圧縮力が保護部材５を介してＩＣチップ３に伝達されることを回避し易くなる。望ましくは、プレスにより保護部材５が変形した場合、即ちＩＣタグ１に圧縮力が発生している場合であってもＩＣチップ３の外面と収容部６の内面とが接触しない大きさに収容部６を形成する。
【００２７】
収容部６を円柱形状に形成することにより、収容部６の内側の側面がＩＣチップ３に向かって突出する量を、均一にし易くなる。収容部６の大きさを適切に決定するには有利である。収容部６をＩＣチップ３の形状に合わせて四角柱形状の貫通孔で構成してもよい。ＩＣチップ３と収容部６との間のすき間７を比較的小さく形成できるので、例えばアイロンの先端等がＩＣチップ３の上面と接触して、ＩＣチップ３が故障するなどの不具合を回避するには有利である。
【００２８】
プレス機８などにより押圧される押圧時にＩＣチップ３と保護部材５とが接触しない状態としているので、プレス機８の熱が保護部材５を経由してＩＣチップ３に伝達され難くなる。ＩＣチップ３が高温に加熱されることがないので、ＩＣチップ３の熱による劣化を抑制できる。ＩＣタグ１の長寿命化を実現するには有利である。
【００２９】
保護部材５の上面５ａ側は収容部６の開口部を除けば、平面状に形成されている。本明細書において平面状とは、プレス機８のプレス面等に対して突出した部分がない状態をいう。保護部材５の上面５ａが平面状に形成されているので、ＩＣタグ１の特定の部位に圧縮力が集中することがない。保護部材５の上面５ａ全体でプレス機８の圧縮力を支持できるので、ＩＣタグ１の特定の部位を破損させる不具合を回避するには有利である。
【００３０】
保護部材５は、例えばプラスチックなど外力によりほとんど変形しない比較的硬質な材料で構成してもよい。保護部材５がほとんど変形しないので、ＩＣチップ３を保護し易くなる。
【００３１】
またプレス機８に押圧された際、保護部材５はほとんど変形しないので、収容部６の内面がＩＣチップ３に向かって突出することがない。そのため収容部６をＩＣチップ３とほとんど同じ大きさに形成しても、ＩＣチップ３と保護部材５とが接触することはない。すき間７を小さくできるので、アイロンの先端等がＩＣチップ３の上面に直接衝突する可能性を低減するには有利である。
【００３２】
図７に例示するように収容部６を、保護部材５の上面５ａ側が閉止され、下面５ｂ側にのみ開口する円柱形状に形成することができる。つまり収容部６は、保護部材５の上面５ａ側に貫通しない。収容部６は、ＩＣチップ３の側面および上面のいずれにも接触しない大きさに形成されている。
【００３３】
ＩＣチップ３の上面が保護部材５で覆われる状態となるので、図１等に例示する実施形態に比べると保護部材５の厚みｄ１が厚くなるものの、ＩＣチップ３の上面にアイロンの先端等が直接接触する事故を回避するには有利である。また保護部材５の上面５ａが平面状に形成されているので、プレス機８の圧縮力がＩＣタグ１の特定の部位に集中して破損させる不具合を回避するには有利である
【００３４】
ＩＣチップ３の側面および上面と収容部６の内面との間にはすき間７が形成されているので、プレス機８からの圧縮力および熱はＩＣチップ３にほとんど伝達されない。ＩＣタグ１の長寿命化を実現するには有利である。
【００３５】
図８に例示するようにＩＣチップ３および基材２の上面２ａ側がプラスチック等の被覆材９でコーティングされているＩＣタグに対して、保護部材５を配置する構成にしてもよい。収容部６の大きさは、ＩＣタグ１がプレス機８により押圧されているときおよび押圧されていないときのいずれにおいても、ＩＣチップ３およびその周囲に配置されている被覆材９に収容部６の内面が接触しない大きさとする。
【符号の説明】
【００３６】
１     ＩＣタグ
２     基材
２ａ   上面
２ｂ   下面
３     ＩＣチップ
４     アンテナ
５     保護部材
５ａ   上面
５ｂ   下面
６     収容部
７     すき間
８     プレス機
９     被覆材
ｄ１   （保護部材の）厚み
ｄ２   （ＩＣチップの）厚み
【図１】
0003204483.tif 000003
【図２】
0003204483.tif 000004
【図３】
0003204483.tif 000005
【図４】
0003204483.tif 000006
【図５】
0003204483.tif 000007
【図６】
0003204483.tif 000008
【図７】
0003204483.tif 000009
【図８】
0003204483.tif 000010